(57)【要約】【課題】制御部から検知部までの配線を簡略化し、少ない検知部によって検知範囲を広げることができる扇風機を提供することを目的とする。【解決手段】台座部１と、台座部１から上方へ延びた筒形状の支柱部２と、支柱部２に固定された送風部３と、支柱部２を回動自在に支持する支持部４と、支柱部２を回動する回動部５と、人の存在を検知する検知部２４と、回動部５の回動角度を制御する制御部２５とを備えている。検知部２４は、支柱部２に設けられ、制御部２５は、検知部２４の検知結果から回動部５の回動角度を制御することを特徴とする扇風機。【選択図】図１
2018168765.tif 000002
【特許請求の範囲】
【請求項１】
台座部と、
前記台座部から上方へ延びた筒形状の支柱部と、
前記支柱部に固定された送風部と、
前記支柱部を回動自在に支持する支持部と、
前記支柱部を回動する回動部と、
人の存在を検知する検知部と、
前記回動部の回動角度を制御する制御部とを備え、
前記検知部は、前記支柱部に設けられ、
前記制御部は、前記検知部の検知結果から前記回動部の回動角度を制御することを特徴とする扇風機。
【請求項２】
前記検知部は、複数設けられたことを特徴とする請求項１に記載の扇風機。
【請求項３】
前記検知部は、上下方向に複数設けられたことを特徴とする請求項２に記載の扇風機。
【請求項４】
前記検知部は、第１の検知部と第２の検知部とを有し、
前記第１の検知部の検知中心軸は、
前記第２の検知部の検知中心軸より上方を向いていることを特徴とする請求項３に記載の扇風機。
【請求項５】
前記第１の検知部は、検知中心軸が斜め上方を向き、
前記第２の検知部は、検知中心軸が斜め下方を向いたことを備えたことを特徴とする請求項４に記載の扇風機。
【請求項６】
前記第１の検知部は、前記第２の検知部より下方に設けられたことを特徴とする請求項４または５に記載の扇風機。
【請求項７】
前記制御部は、前記第１の検知部のみが検知した位置と、前記第２の検知部のみが検知した位置または前記第１の検知部と前記第２の検知部とが検知した位置とが異なる場合には、
前記第２の検知部のみが検知した位置または前記第１の検知部と前記第２の検知部とが検知した位置を回動中心として所定の角度を回動することを特徴とする請求項４から６のいずれかに記載の扇風機。
【請求項８】
前記制御部は、前記検知部の検知結果から前記回動部の回動速度を制御し、
前記第１の検知部のみが検知した場合には、
前記第２の検知部のみが検知した場合と、前記第１の検知部と前記第２の検知部とが検知した場合に比べて、前記回動部の回動速度を遅く制御することを特徴とする請求項４から６のいずれかに記載の扇風機。
【発明の詳細な説明】
【技術分野】
【０００１】
本発明は、一般的な家庭において、ファンの回転により昇圧された空気を送出し、その風に人体が当たり涼感を得たり、室内の空気を攪拌して温度ムラをなくしたりするのに使用される扇風機に関するものである。
【背景技術】
【０００２】
従来、この種の扇風機は、人の存在を検知して送風部の回動角度を変更するものが知られている（例えば、特許文献１参照）。
【０００３】
扇風機は、基台部と、基台部から上方に延びた支柱部と、支柱部の上部に設けた回動部と、回動部に設けた送風部と、回動部の回動中心を手動で変更できる回動中心変更部と、回動部の下方に設けられた検知部と、検知部の検知結果から回動部の回動角度を制御する制御部とを備えている。制御部は、基台部内に設けられている。
【先行技術文献】
【特許文献】
【０００４】
【特許文献１】特開２０１５−１５５６５４号公報
【発明の概要】
【発明が解決しようとする課題】
【０００５】
このような従来の扇風機においては、検知部は、回動部の下方に配置されていた。これにより、制御部からの信号線は、基台部内から支柱部内、回動部内を介して、検知部へ延びていたので、制御部から検知部までの配線が複雑になるという課題を有していた。
【０００６】
また、検知部は回動部によって回動しないので、検知範囲を広げる為に多数の検知部が必要であった。
【０００７】
そこで本発明は、上記従来の課題を解決するものであり、制御部から検知部までの配線を簡略化し、少ない検知部によって検知範囲を広げることができる扇風機を提供することを目的とする。
【課題を解決するための手段】
【０００８】
そして、この目的を達成するために、本発明は、台座部と、前記台座部から上方へ延びた筒形状の支柱部と、前記支柱部に固定された送風部と、前記支柱部を回動自在に支持する支持部と、前記支柱部を回動する回動部と、人の存在を検知する検知部と、前記回動部の回動角度を制御する制御部とを備え、前記検知部は、前記支柱部に設けられ、前記制御部は、前記検知部の検知結果から前記回動部の回動角度を制御するものであり、これにより所期の目的を達成するものである。
【発明の効果】
【０００９】
本発明によれば、台座部と、前記台座部から上方へ延びた筒形状の支柱部と、前記支柱部に固定された送風部と、前記支柱部を回動自在に支持する支持部と、前記支柱部を回動する回動部と、人の存在を検知する検知部と、前記回動部の回動角度を制御する制御部とを備え、前記検知部は、前記支柱部に設けられ、前記制御部は、前記検知部の検知結果から前記回動部の回動角度を制御する。
【００１０】
これにより、制御部からの信号線は、基台部内から支柱部を介して、検知部へ延びるので、制御部から検知部までの配線が簡略化でき、検知部は回動部によって回動する支柱部に設けられているので、少ない検知部によって検知範囲を広げることができるという効果を得る。
【図面の簡単な説明】
【００１１】
【図１】本発明の実施の形態１の扇風機の側面図
【図２】同扇風機の斜視図
【図３】同扇風機の台座部の断面図
【図４】同扇風機のベアリングの斜視図
【図５】同扇風機のベアリングホルダーの斜視図
【図６】同扇風機の台座部の平面図
【発明を実施するための形態】
【００１２】
以下、本発明の実施の形態について図面を参照しながら説明する。
【００１３】
（実施の形態１）
図１は、本発明の実施の形態１の扇風機の側面図であり、扇風機を右側から見た図である。図２は、本発明の実施の形態１の扇風機の斜視図である。図３は、本発明の実施の形態１の扇風機の台座部の断面図であり、扇風機を右側から見た図である。
【００１４】
図１、図２および図３に示すように、扇風機は、台座部１と、支柱部２と、送風部３と、支持部４とを有している。
【００１５】
台座部１は、台座部１の下面である下台座部６と、台座部１の上面である上台座部７とを備えている。下台座部６は、上方が開口した略椀形状であり、上台座部７は、下方が開口した略椀形状である。上台座部７は、中央部に支柱部２の下部が入る円形の孔８を有している。
【００１６】
支柱部２は、略円筒形状であり、上台座部７の中央部から上方へ延びている。支柱部２の下端部は、上台座部７の孔８に挿入され、支柱部２の上端部には、送風部３が固定されている。
【００１７】
送風部３は、支柱部２の上端部に固定されたファン用モータ部分９と、ファン用モータ部分９の回転軸（図示せず）に固定された羽根部分１０と、羽根部分１０を覆うガード部分１１とを備えている。ファン用モータ部分９が駆動すると、ファン用モータ部分９の回転軸に固定された羽根部分１０が回転し、空気が送出される。送風部３を上端部に固定された支柱部２は、支持部４によって台座部１に回動自在に支持されている。
【００１８】
図４は、本発明の実施の形態１の扇風機のベアリングの斜視図である。
【００１９】
図３、４に示すように、支持部４は、環状のベアリング１２である。ベアリング１２は、環形状の内側環部１３と、環形状の外側環部１４と、これらの間に設けられた多数の球形状の球部（図示せず）とを備えている。外側環部１４の内径は、内側環部１３の外形より大きいものである。ベアリング１２の中央部の孔１５内、つまり内側環部内に支柱部２の下部が挿入され、ベアリング１２の外周である外側環部１４は、台座部１内のベアリングホルダー１６に装着されている。
【００２０】
図５は、本発明の実施の形態１の扇風機のベアリングホルダーの斜視図であり、斜め上方から見た図である。図６は、本発明の実施の形態１の扇風機の台座部の平面図であり、台座部の下台座部を外し、台座部の下方から見た図である。
【００２１】
図５と図６に示すように、ベアリングホルダー１６は、下方が開口した略椀形状であり、中央部に円形の孔１７を有し、この孔１７の開口縁から下方へ延びる円筒形状の円筒部１８を備えている。円筒部１８内には、ベアリング１２の外側環部１４が嵌り、固定されている。ベアリング１２の回転軸と、支柱部２の中心軸と、円筒部１８の中心軸とは、同軸上に配置されている。支柱部２は、ベアリング１２によって回動自在に支持され、回動部５によって回動する。支持部４と、回動部５とは、台座部１内に配置され、見え難くすることで、デザイン性が向上する。
【００２２】
台座部１には、操作部１９を有している。操作部１９は、送風部３と回動部５との動作をＯＮ、ＯＦＦできる。
【００２３】
回動部５は、第１のギア２０と、モータ２１と、第２のギア２２とを有している。モータ２１は、台座部１内に固定され、モータ２１の回転軸２３に第１のギア２０が固定されている。第２のギア２２は、支柱部２の下部外周に固定されている。支柱部２の下部には、支持部４を設け、支持部４の下方には、第２のギア２２を配置している。第２のギアの回転軸は、支柱部２の回転軸と同一上に設けられている。第１のギア２０と第２のギア２２とは、噛み合う構成である。回動部５のモータ２１が駆動すると、モータ２１の回転軸２３に固定された第１のギア２０を介して、第２のギア２２が回動する。第２のギア２２が回動すると、支柱部２と送風部３とが回動する。
【００２４】
モータ２１内には、回動部５の回動中心を手動で変更できる回動中心変更部（図示せず）を有している。モータ２１によって、送風部３と支柱部２とを所定の角度だけ回動できる。この所定の角度の中心が回動中心である。つまり、モータ２１によって、回動中心から一方側へ所定の角度の半分まで回動でき、同様に、回動中心から他方側へ所定の角度の半分まで回動できる。使用者によって手動で、所定以上の力で送風部３と支柱部２とを回動させると、モータ内の回動中心変更部が空回りし、モータ２１が回動することなく、送風部３と支柱部２とが回動し、回動中心を変更できる。回動中心変更部の一例は、クッラチ機構である。
【００２５】
図１と図２と図３とに示すように、扇風機は、検知部２４と、制御部２５とを有している。
【００２６】
検知部２４は、支柱部２に設けられ、人の存在を検知する。検知部２４の一例は、温度を検知する赤外線センサーである。
【００２７】
検知部２４は、支柱部２に設けられているので、所定の角度を回動する。検知部２４は、この回動範囲の温度変化を検知し、制御部２５が、温度変化の大きいところに人が存在すると判断する。制御部２５は、検知部２４によって人の存在を検知すると、その人を、送風部３と支柱部２と回動中心として回動するように制御する。このように、制御部２５は、検知部２４の検知結果から送風部３と回動部５の回動角度を制御する。
【００２８】
また、検知部２４は、上下方向に複数設けられている。具体的には、検知部２４は、第１の検知部２６と第２の検知部２７とを有している。第１の検知部２６の検知中心軸は、第２の検知部２７の検知中心軸より上方を向いている。これにより、上下方向の検知範囲が大きくなる。
【００２９】
また、第１の検知部２６は、検知中心軸が斜め上方を向き、第２の検知部２７は、検知中心軸が斜め下方を向いている。これにより、更に、上下方向の検知範囲が大きくなる。
【００３０】
また、第１の検知部２６は、第２の検知部２７より下方に設けられている。これにより、更に、上下方向の検知範囲が大きくなる。
【００３１】
また、第１の検知部２６のみが検知する場合は、人ではなく、エアコン、照明等によって、温度変化が生じていることが考えられる。そこで、制御部２５は、第１の検知部２６のみが検知した位置と、第２の検知部２７のみが検知した位置とが異なる場合、または、第１の検知部２６のみが検知した位置と、第１の検知部２６と第２の検知部２７とが検知した位置とが異なる場合には、第２の検知部２７のみが検知した位置または第１の検知部２６と第２の検知部２７とが検知した位置を回動中心として所定の角度を回動する。これにより、エアコン、照明等でなく、人に送風し易くなる。
【００３２】
また、制御部２５は、検知部の検知結果から回動部５の回動速度を制御する。同様に、第１の検知部２６のみが検知する場合は、人ではなく、エアコン、照明等によって、温度変化が生じていることが考えられる。そこで、制御部２５は、第１の検知部２６のみが検知した場合には、第２の検知部２７のみが検知した場合と、第１の検知部２６と第２の検知部２７とが検知した場合に比べて、回動部５の回動速度を遅く制御する。これにより、エアコン、照明等によって発生する温度分布の偏りを均一に近づけることができる。
【産業上の利用可能性】
【００３３】
本発明にかかる扇風機は、一般家庭などにおいて、送出される風を浴びて涼感を得たり、室内の空気を攪拌して温度ムラをなくしたりするのに使用される扇風機等として有用である。
【符号の説明】
【００３４】
１    台座部
２    支柱部
３    送風部
４    支持部
５    回動部
６    下台座部
７    上台座部
８    孔
９    ファン用モータ部分
１０    羽根部分
１１    ガード部分
１２    ベアリング
１３    内側環部
１４    外側環部
１５    孔
１６    ベアリングホルダー
１７    孔
１８    円筒部
１９    操作部
２０    第１のギア
２１    モータ
２２    第２のギア
２３    回転軸
２４    検知部
２５    制御部
２６    第１の検知部
２７    第２の検知部
【図１】
2018168765.tif 000003
【図２】
2018168765.tif 000004
【図３】
2018168765.tif 000005
【図４】
2018168765.tif 000006
【図５】
2018168765.tif 000007
【図６】
2018168765.tif 000008